(57)【特許請求の範囲】
【請求項１】
サービス提供者と通信手段を用いて情報交換を行う工程と、
その後、必要な情報を、カーナビゲーションシステム用情報記録媒体の記録保存を行う記録部に保存する工程と、
車が目的地に到着した際に、記録した情報を、カーナビゲーションシステム用情報記録媒体の、温度によって可逆的に可視画像を表示し又は消去することが可能な表示部にリライト部を用いて表示する工程と、
前記情報記録媒体をカーナビゲーションシステムから取り外して携帯する工程と、
車外において、前記情報記録媒体をサービス提供者に提示してサービスの提供を受け、情報記録媒体の情報の更新を行う工程
とを具備することを特徴とするカーナビゲーションシステムの使用方法。
【発明の詳細な説明】
【０００１】
【発明の属する技術分野】
本発明は、カーナビゲーションシステム及びカーナビゲーションシステム用情報記録媒体に関し、特に、熱や光によって可視画像を表示及び消去することが可能な情報記録媒体を含むカーナビゲーションシステム等に関する。
【０００２】
【従来の技術】
カーナビゲーションシステムにおいては、出発地と目的地等を入力装置から入力することにより、出発地から目的地等への最適ルートがＬＣＤ（液晶表示装置）等に表示される。車の走行中は、表示を利用することができるが、車から降りると情報を利用できなくなる。そこで車外でもカーナビゲーションシステムを利用可能にするために、最近は車体から取外し可能なカーナビゲーションシステムや、携帯電話と組み合わせたカーナビゲーションシステム等も提案されている。しかし、カーナビゲーションの装置が大きくて持ち運びが不便だったり、カーナビゲーションシステムを利用するためには電源が必要で車外へ持ち出すことが困難であった。また、携帯電話と組み合わせたカーナビゲーションシステムの場合には、接続が不便だったり、インフラストラクチャーの整備が必要だったり、通信料が高くなる等の問題があった。
【０００３】
【発明が解決しようとする課題】
本発明は上記問題点を解決すべくなされたものであり、本発明の目的は、車外にも手軽に持ち運ぶことができ、かつ車外での利便性に優れたカーナビゲーションシステムを提供することにある。
【０００４】
【課題を解決するための手段】
本発明のカーナビゲーションシステムの使用方法は、サービス提供者と通信手段を用いて情報交換を行う工程と、その後、必要な情報を、カーナビゲーションシステム用情報記録媒体の記録保存を行う記録部に保存する工程と、車が目的地に到着した際に、記録した情報を、カーナビゲーションシステム用情報記録媒体の、温度によって可逆的に可視画像を表示し又は消去することが可能な表示部にリライト部を用いて表示する工程と、前記情報記録媒体をカーナビゲーションシステムから取り外して携帯する工程と、車外において、前記情報記録媒体をサービス提供者に提示してサービスの提供を受け、情報記録媒体の情報の更新を行う工程とを具備することを特徴とする。
なお、本発明において、カーナビゲーションシステム用情報記録媒体は、温度によって可逆的に可視画像を表示し又は消去することが可能な表示部と、情報の記録保存を行う記録部とを含むことを特徴とする。ここで、前記情報記録媒体はカーナビゲーションシステムから着脱可能に構成されており、カーナビゲーションシステムから取り外して携帯することができる。前記記録部は、ＩＣチップ又は磁気テープを含むことができる。
また、本発明において、カーナビゲーションシステムは、ナビゲーション部を含むカーナビゲーションシステムであって、上記情報記録媒体と、可視画像の書換えを行うリライト部とを含む情報記録手段を具備することを特徴とする。ここで、前記情報記録手段は、地図情報を表示するナビゲーション部の外部に配置されていることができる。前記記録部に記録される情報は、携帯電話を利用して入手されることができる。
【０００５】
本発明によれば、情報記録媒体をカーナビゲーションシステムから取り外して携帯することができるので、必要な情報を情報記録媒体に表示して携行すれば、紙等に印字する必要がなくなる。したがって、使用後に紙等をゴミとして廃棄する必要がなく、また、紙やインク等の消耗品のコストを削減することができる。また、情報記録媒体は薄いカード形状にすることも可能であり、例えば財布や手帳にも差し込みやすく携帯に便利である。さらに、本発明の情報記録媒体は文字等も鮮明に表示されるので見やすい。また、本発明の情報記録手段は従来のナビゲーションシステムに外付けで接続することもできるので、従来のナビゲーションシステムを有効に利用することができる。
【０００６】
【発明の実施の形態】
本発明のカーナビゲーションシステムは、ナビゲーション部及び情報記録手段を含む。ナビゲーション部には、通常のナビゲーション手段を使用することができる。例えば、ＧＰＳ（Global Positioning System：汎地球測位システム）により自動車等の移動体の現在位置を測位するＧＰＳ受信機、地図情報を記憶するＣＤ−ＲＯＭ（読み取り専用のコンパクト・ディスク）とこれを駆動して地図情報やそれに関連する情報を読み出すＣＤ−ＲＯＭドライバ、出発地と目的地等を入力するキーボード等の入力装置、ＣＲＴ（陰極線管）やＬＣＤ（液晶表示装置）等の表示画面、音声等を出力するスピーカ等の音声出力手段、ＲＯＭやＲＡＭに蓄積した処理プログラムやデータに従って演算を行うＣＰＵを備えた情報処理装置等を含み、本発明においては、さらにカーナビゲーションシステムから取り外し可能な情報記録媒体を有する情報記録手段を備えている。
ここで、情報記録手段は、表示部と記録部を含む情報記録媒体とリライト部とを有する。情報記録手段は、ナビゲーション部と一体的にカーナビゲーションシステム内に組み込まれていてもよいし、あるいはナビゲーション部の外部に外付けで接続されていてもよい。例えば、リライト部の端末が車のデッキやダッシュボードに収まるように構成されていてもよいし、リライト部の端末に情報記録媒体が収納されるように構成されていてもよい。リライト部とは熱や光を加える手段であり、熱や光が加えられれば特に限定されることなく使用することができるが、例えばドット単位で加熱制御が可能なサーマルヘッド、エリア全面での消去等が可能なヒーターバーや加熱スタンプ、レーザ光を発生する装置等である。また、赤外線を発生する装置等を用いてもよい。
【０００７】
情報記録手段を構成する表示部は、温度によって可逆的に可視画像を表示し又は消去することができ、例えば、基材上に可逆性記録層を有する構成とすることができる。また、可逆性記録層と接するように光熱変換物質を含有する層（以下「光熱変換層」という）を設けてもよい。
【０００８】
本発明において可逆性記録層としては、加熱温度を調節することによって、透明状態又は白濁状態に変化させて可視状態になるものと、加熱後の冷却速度を調節することによって、発消色させて可視状態になるもののいずれかを使用することができる。前者の場合の例としては、高分子樹脂母材に結晶性の有機低分子化合物を分散させたものが挙げられ、後者の例としては、高分子樹脂母材に電子供与性呈色物質と電子受容性化合物とを分散させたものが挙げられる。
【０００９】
有機低分子化合物としては、高分子樹脂母材内に０．１〜２．０μｍ程度の直径の集合体となって分散し、熱処理によって融解又は結晶化するものであり、例えば、高級脂肪酸、高級脂肪酸エステル、脂肪酸アミド、脂肪族二塩基酸、脂肪族二塩基酸エステル、脂肪族ケトン、脂肪族エーテル、脂肪族アルコール及びその誘導体からなる結晶性低分子化合物が挙げられ、これらを単独で、又は２種類以上を混合して用いることができる。また、カルボン酸、ジカルボン酸、ケトン、エーテル、アルコール、エステル及びその誘導体等からなる化合物であってもよい。有機低分子化合物としては、融点が５０〜１５０℃の範囲内のものが好ましく用いられる。
【００１０】
本発明においては、炭素数１２以上の脂肪酸エステルと炭素数１０以上の脂肪族二塩基酸とを併用した組み合わせで使用することが好ましい。炭素数１２以上の低融点であり、比較的低温での熱処理によって、融解、結晶化する脂肪酸エステルと、炭素数１０以上の高融点の脂肪族二塩基酸との配合割合を調整して使用することにより、透明化する温度領域を調整することができ、また所定温度における透明性と白濁の程度とを変化させることができる。
炭素数１２以上の脂肪酸エステルの具体例としては、ステアリン酸メチル、ステアリン酸エチル、ステアリン酸ブチル、ステアリン酸オクチル、ステアリン酸ステアリル、ステアリン酸べヘニル、べヘン酸メチル、ベヘン酸エチル、ベヘン酸ブチル、ベヘン酸オクチル、ベヘン酸ステアリル、ベヘン酸ベヘニル、リグノセリン酸メチル、リグノセリン酸エチル、リグノセリン酸ステアリル、リグノセリン酸ベヘニル等が挙げられる。
炭素数１０以上の脂肪族二塩基酸の具体例としては、セバシン酸、ドデカン二酸、テトラデカン二酸、エイコサン二酸等が挙げられる。
【００１１】
電子供与性化合物としては、分子構造中にラクトン環部分を有するロイコ染料が好適に使用される。例えば、クリスタルバイオレットラクトン、３−（４−ジエチルアミノ−２−エトキシフェニル）−３−（１−エチル−２−メチルインドール−３−イル）−４−アザフタリド、３，３−ビス（１−エチル−２−メチルインドール−３−イル）フタリド等のフタリド化合物、３−ジエチルアミノ−６−メチル−７−アニリノフルオラン、３−ジブチルアミノ−６−メチル−７−アニリノフルオラン、２−（２−クロロアニリノ）−６−ジエチルアミノフルオラン、２−（２−クロロアニリノ）−６−ジブチルアミノフルオラン、２−アニリノ−３−メチル−６−（Ｎ−エチルイソペンチルアミノ）フルオラン、３−シクロヘキシルメチルアミノ−６−メチル−７−アニリノフルオラン、３−ベンジルエチルアミノ−６−メチル−７−アニリノフルオラン、３−ジエチルアミノ−６−クロロ−７−アニリノフルオラン、３−メチルプロピルアミノ−６−メチル−７−アニリノフルオラン、３−ジエチルアミノ−６−メチル−７−キシリジノフルオラン等のフルオラン化合物が挙げられる。これらの化合物は、分子構造中にラクトン環部分を持ち、そのラクトン環が開環したり閉環したりすることにより、発色と消色する。
【００１２】
電子受容性化合物としては、フェノール類、フェノール金属塩類、カルボン酸金属塩、スルホン酸、スルホン酸塩類、炭素数６以上の脂肪族基を有する有機リン酸化合物等が挙げられる。本発明においては、炭素数１２以上の脂肪族基を有するフェノール性化合物が好ましい。
具体的には、ドデシルホスホン酸、テトラデシルホスホン酸、ヘキサデシルホスホン酸、オクタデシルホスホン酸、エイコシルホスホン酸、α−ヒドロキシデカン酸、α−ヒドロキシテトラデカン酸、α−ヒドロキシヘキサデカン酸、α−ヒドロキシオクタデカン酸、α−ヒドロキシペンタデカン酸、α−ヒドロキシエイコ酸、α−ヒドロキシドコサン酸、α−ヒドロキシテトラコサン酸、α−ヒドロキシヘキサコサン酸、α−ヒドロキシオクタコサン酸等が挙げられる。
フェノール化合物としては、４'−ヒドロキシ−４−オクタデシルベンズアニリド、Ｎ−オクタデシル−４−ヒドロキシベンズアミド、Ｎ−（４−ヒドロキシフェニル）−Ｎ'−オクタデシル尿素、４−ヒドロキシフェニルプロピオノ−ベヘニルヒドラジド等が挙げられる。
【００１３】
可逆性記録層に用いられる高分子樹脂母材としては、透明で製膜性の良い合成樹脂が好ましく、具体的には、ポリ塩化ビニル、塩化ビニル−酢酸ビニル共重合体、塩化ビニル−酢酸ビニル−マレイン酸共重合体、塩化ビニル−酢酸ビニル−アクリル酸共重合体、塩化ビニル−酢酸ビニル−ビニルアルコール共重合体、その他の酢酸ビニル化合物、塩化ビニル系共重合体、ポリ塩化ビニリデン、塩化ビニリデン共重合体、ポリエステル樹脂、ポリウレタン樹脂、アクリル樹脂、ポリスチレン樹脂、ＡＢＳ樹脂、ＡＳ樹脂等で、透明なアモルファス樹脂が挙げられる。これらは単独で、又は２種類以上を混合して使用することができる。
可逆性記録層に、電子線又は紫外線等の放射線硬化性樹脂を混合すると、高温領域での弾性率が高くなり、リライト耐久性を向上させることができる。かかる樹脂としては、例えば、テトラエチレングリコールジアクリレート、トリメチロールプロパントリアクリレート等の硬化性に優れた多官能アクリレートモノマーが良好に使用できる。紫外線硬化の場合は、ベンゾイン系、アセトフェノン系、チオキサンソン系、パーオキシド系等の光重合開始剤を適量添加して硬化重合させる。
【００１４】
電子供与性化合物と電子受容性化合物は、イソシアネート架橋剤と熱架橋する水酸基、アミノ基、カルボキシル基等を有するアクリルポリオール、ポリエステルポリオール、ポリウレタンポリオール等の熱可塑性樹脂を高分子樹脂母材として使用することが好ましい。また、イソシアネート架橋剤としては、ヘキサメチレンジイソシアネート、トルエンジイソシアネート等が好ましい。配合量は、ロイコ染料１０質量部に対して、電子受容性化合物が１０〜１００質量部であり、２０〜５０質量部であることが好ましい。高分子樹脂母材の配合量は、ロイコ染料１０質量部に対して１０〜２００質量部であり、２０〜１００質量部であることが好ましい。ただし、高分子樹脂母材には、適宜配合したイソシアネート化合物も含むものとする。
【００１５】
本発明においては、赤外レーザによる印字感度を向上させるために、可逆性記録層に光熱変換物質を含有してもよく、または可逆性記録層と隣接して光熱変換物質を含有する層を設けてもよい。また、光熱変換物質を含有する層を保護するために可視光透過性の紫外線吸収層をさらに設けてもよい。使用される光熱変換物質としては、例えば赤外吸収色素やカーボンブラック等が挙げられ、使用する半導体レーザ光の発振波長付近に吸収ピークをもつものが選択される。一般には、波長１００ｎｍ〜１，０００ｎｍ、好ましくは７００〜９００ｎｍの半導体レーザを使用することができ、赤外吸収色素としては、かかる波長領域に吸収ピークを有するシアニン系色素、ポリメチン系色素、アントラキノン系色素等が好ましく用いられる。これらの中では、フタロシアニン系色素又はナフタロシアニン系色素が好ましい。構造的に、熱や紫外線による分解等の劣化に対して耐久性があるので、リライト回数の向上を図ることができるからである。耐候性、耐熱性等の化学的安定性の見地からは、特に、各種金属と錯体を形成しているものが好ましい。
【００１６】
基材としては、例えば、加熱、加圧等で熱変形する熱可塑性樹脂が好ましい材料として挙げられる。
熱可塑性樹脂としては、特に限定されるわけではないが、塩化ビニル、塩化ビニル−酢酸ビニル共重合体、塩化ビニル−酢酸ビニル−アクリル酸共重合体、塩化ビニル−酢酸ビニル−マレイン酸共重合体、塩化ビニル−酢酸ビニル−ビニルアルコール共重合体等の塩化ビニル系樹脂、ポリオレフィン系樹脂、非晶性ポリエステル樹脂、結晶性ポリエステル樹脂、アクリル樹脂、ＡＢＳ樹脂、ＡＳ樹脂、ＰＣ樹脂等の汎用プラスチックの１又は２以上を主成分とするフィルムやシートが好ましく用いられる。
また、耐熱性が良好なエンジニアリング・プラスチックを用いることもでき、例えば、ポリフェニレンスルフィド、ポリエーテルイミド、ポリイミド、ポリエーテルエーテルケトン等を主成分とするフィルムやシートが挙げられる。
【００１７】
本発明においては、可視情報のコントラストを高くして鮮明さを向上させるために可逆性記録層の下にアルミニウム蒸着層等の光学的反射面として機能する光反射層を設けることが好ましい。また、リライト耐久性やサーマルヘッドとのマッチングを向上させるために、可逆性記録層の上に保護層を設けることが好ましい。保護層に用いられる樹脂としては、ポリエチレンテレフタレート、ポリエーテルイミド、ポリエーテルエーテルケトン、ポリサルフォン、ポリフェニレンサルファイド、ポリアクリレート、ポリエーテルサルフォン、ポリカーボネート、ポリエチレンナフタレート、ポリイミド、アクリル樹脂、紫外線硬化樹脂、電子線硬化樹脂等の耐熱性の高い樹脂が好ましい。
【００１８】
本発明の情報記録媒体を構成する記録部は、磁気、電気、光等によって情報が記録されるものが使用される。具体的には、磁気によって記録が行われる磁気テープや磁気カード等、電気信号によって記録が行われる接触式又は非接触式のＩＣチップ等、光信号によって記録が行われるもの、光磁気等によって記録が行われるもの等が挙げられる。
本発明の情報記録媒体は、例えば、基材上に可逆性記録層を構成する樹脂等を塗布し、記録部を一体的に組み込むことにより形成される。
【００１９】
記録部に記録される情報としては、例えば、ＩＤ番号、生年月日、性別等の個人データ、店舗の情報、サービス情報、検索記録、予約番号、予約時間、予約商品、観光案内情報等の種々の情報が必要に応じて記録される。また、可能ならば、電子マネーによる決済が可能な情報を記録させておいてもよい。記録される情報は、本発明のカーナビゲーションシステムの使用方法と密接に関係し、カーナビゲーションシステムの所有する車の所有者のみならず、カーナビゲーションシステムにサービスを提供するために提携したサービス提供者等やそのサービス内容に依存する。以下に本発明のカーナビゲーションの使用方法について具体例を示して説明する。
【００２０】
本発明のカーナビゲーションシステムは、例えば、飲食店等の最新情報やサービスを受信したり、レストランへ席の予約を入れたり、ファーストフード等のテイクアウト用商品の予約を入れたりすることができる。遊戯施設等においては、移動中に予約を入れることができるので、遊戯施設を利用するまでに待たされたりすることもなく、また事前に駐車場の確保を行うことができるので、遊戯施設に到着してから満車で駐車することができなかったり、そのために時間を取られたりすることもなくなる。このように、優先的にサービスを受けられることは、客の優越感をも満足させることになり、再度の利用が期待される。
飲食店や遊戯施設等においては、客の到着以前に予約を確認できるので、事前に準備ができ、効率的で満足のいくサービスの提供と、客の囲い込みが可能となる。また、混雑状況を情報として提供することにより満席でお客を逃がすこともなくなり、結果的には良心的で充実したサービスを提供することができる。
本発明のカーナビゲーションシステムは取り外し可能な情報記録媒体を備えているので、飲食店や遊戯施設等に到着した際には、この情報記録媒体を取り出して飲食店や遊戯施設等へ携帯し、予約情報を明示することができる。情報記録媒体に例えばポイント等を記憶させたり、更新したり、宣伝を兼ねた予告情報等を入力することができる。また、飲食店等は客の個人情報を入手することになるので、ニーズの解析や将来の事業の展開への有用な情報として役立つ。
【００２１】
レンタルＣＤ等の予約もレンタル店等に到着する前に行い、予約したＣＤ等の情報を情報記録媒体に表示して店内に持っていけば、予約したＣＤを間違いなく借りることができるので安心である。また、車が到着する前にＣＤが準備されているので、ＣＤのサーチ時間を短縮することができ、ＣＤ等を借りるまでに待たされることもなくなる。ＣＤ貸し出しの際には、レンタル店において返却日等を情報記録媒体に記録させて表示すれば、客は返却日の忘れや確認に役立てることができる。
【００２２】
タクシー等においても本発明のナビゲーションシステムは非常に有効に利用することができる。例えば、観光名所の説明を記憶させておき、該当場所についたら、説明を情報記録媒体に印字して、タクシー利用者に観光名所の説明してサービスを充実させることができる。また、飲食店情報や娯楽施設情報、例えば、本日の混み具合やサービス情報をタクシー利用者に教えたり、必要に応じて客の名前で予約を入れたりすることもできる。あるいは、映画や劇場等の上映時間や混み具合、劇場等の席の予約等を行うこともサービスの充実に繋がる。タクシー運転手が飲食店や娯楽施設等と提携しておき、予約を入れたらサービス券を発行したり、映画等の割引券を発行したりすることができれば、さらに店舗と顧客とを強固に結ぶことができる。最寄駅の交通情報、例えば時刻表等を記憶しておき、タクシー利用者に情報を提供したり、あるいは交通機関の予約を行ったりすることも可能である。
【００２３】
飲食店、遊技施設、レンタル店等の情報の入手は、人口衛星、ＶＩＣＳ等を利用してもよいし、携帯電話等を利用してもよい。また、将来的には、ＦＭやＰＨＳ等を利用することも考えられる。最新情報やサービス情報等の提供は、各店舗等が個々に行ってもよいが、専用の発信業務を扱う機関がまとめて行うことにしてもよい。
サービス提供者がナビゲーションシステムを利用する場合には、ナビゲーション提供者はサービス提供者から広告収入得ることもでき、またナビゲーションシステムを多面的に効率よく利用することができる。
【００２４】
以下に、本発明のカーナビゲーションシステムの使用方法を図１を用いて説明する。図１は、携帯電話を情報収集と発信の端末として利用する本発明のカーナビゲーションシステムの使用方法を説明するフローチャートである。まず、ステップＳ１において、カーナビゲーションシステムの情報記録手段を起動する。次に、ステップＳ２において携帯電話にカーナビゲーションの情報通信端末を接続し、ステップＳ３において入手すべき情報があるか否か確認し、情報がない場合にはステップＳ５に移行し、情報がある場合にはステップＳ４においてカーナビゲーションシステムの記録部にデータの読み込みを行った後でステップＳ５に移行する。ステップＳ５において、飲食店等へデータの送信があるか否か確認し、送信データがない場合にはステップＳ７へ移行し、送信データがある場合にはステップＳ６において飲食店の席の予約等のデータの送信と記憶を行った後、ステップＳ７へ移行する。ステップＳ７において飲食店等からのデータの受信があるか否か確認し、データの受信がない場合にはステップＳ９へ移行し、データの受信がある場合にはステップＳ８において、予約受け付け番号等の受信データの記憶を行った後ステップＳ９へ移行する。ステップＳ９において記録したうちの必要な情報を、リライト部を用いて情報記録媒体に表示する。その後、目的地に到着したら情報記録媒体をカーナビゲーションシステムから取り出して携帯する（ステップＳ１０）。ステップＳ１１において、目的地では適切なサービスを受ける。例えば飲食店の予約を行っていたならば、待たずに席につき飲食等のサービスを受ける。ステップＳ１１において、目的地の店舗がサービスポイント等の特典を与えるシステムか否か確認し、特典がない場合にはステップＳ１４に移行し、特典がある場合には、ステップＳ１３において情報記録媒体のポイント等の書換えを行う。その後、ステップＳ１４において、車内に戻り、カーナビゲーションシステムに情報記録媒体を戻す。
なお、情報記録媒体を装着しなくても通常のカーナビゲーションシステムは作動するように設定されていてもよい。
【００２５】
また、ＣＤレンタル店またはビデオレンタル店等においても同様にカーナビゲーションシステムを使用することができる。この場合には、店舗等からの予約確認の返信データの入手（図１のフローチャートにおいてはステップＳ７においてデータ受信なしに該当）は必要ないかもしれない。例えば、店舗から新作情報や予約情報等が配信されているか否か確認し（ステップＳ３）、配信されている場合には情報を入手する（ステップＳ４）。ここで情報の入手には、人口衛星や携帯用アンテナからカーナビゲーションシステムに配信されるようにしてもよい。カーナビゲーションシステムのディスプレイ上で配信された情報を確認し、利用すべきサービスの抽出を行う。サービス利用者は、カーナビゲーションシステムの入力装置を利用して予約を行うことができる。この予約データはレンタル店等へ送信され（ステップＳ８）、目的地に到着したら記録しておいたうちの必要な情報を情報記録媒体に表示し（ステップ９）、情報記録媒体をカーナビゲーションシステムから取り出して携帯し（ステップＳ１０）、店舗へ持参する。レンタル店等で情報記録媒体を提示して予約したＣＤ等を受け取り（ステップＳ１１）、特典ポイントの更新や最新情報等の書換えを行う（ステップＳ１３）。
【００２６】
【発明の効果】
以上述べたように、本発明によれば、車外にも手軽に持ち運ぶことができ、かつ車外での利便性に優れたカーナビゲーションシステムを提供することができる。
【図面の簡単な説明】
【図１】本発明のカーナビゲーションシステムの使用方法を説明するためのフローチャートである。
【図１】
0003964683.tif 000002